(57)【要約】【課題】  複数の映像・音声入力の内から視聴したい映像・音声入力を簡単に選択したり、所定の映像信号の発生に応じてその映像信号を自動的に画面表示する画面合成装置を実現する。【解決手段】  画面合成装置１０は複数の入力ポートを備える。画面合成装置１０は、これら入力ソース（映像・音声信号）の内、ユーザ指定の入力ソースの映像信号を表示部１０３に主画面Ｍとして表示させ、対応する音声信号をスピーカ１０４に供給して音声再生させる。他の入力ソースの映像信号は、表示部１０３に主画面Ｍ上に子画面Ｓとして表示される。子画面Ｓのいずれかを選択すると、選択された子画面Ｓが主画面Ｍに切替わると同時に、対応する音声入力を再生させる。また、インターフォン１０１や異常監視部１０２からの映像信号が供給された場合には、その映像信号を即座に主画面Ｍとして表示する。【選択図】  図１
2006010807.tif 000002
【特許請求の範囲】
【請求項１】
少なくとも映像信号を含む複数の入力ソースの内から第１の入力ソースとその他の第２の入力ソース群とを選択して出力する選択手段と、
前記選択手段が出力する第２の入力ソース群の各映像信号から複数の子画面を発生する子画面発生手段と、
前記選択手段が出力する第１の入力ソースの映像信号から得られる主画面に前記子画面発生手段が発生する複数の子画面を合成して出力する合成手段と、
前記子画面発生手段が発生する複数の子画面のいずれかを選択する子画面選択手段と、
前記第２の入力ソース群の内、前記子画面選択手段により選択された子画面を形成する入力ソースと前記第１の入力ソースとの入れ替えを前記選択手段に指示する指示手段と
を具備することを特徴とする画面合成装置。
【請求項２】
複数の入力ポートにそれぞれ供給され、少なくとも映像信号を含む入力ソースの内から第１の入力ソースとその他の第２の入力ソース群とを選択して出力する選択手段と、
前記選択手段が出力する第２の入力ソース群の各映像信号から複数の子画面を発生する子画面発生手段と、
前記選択手段が出力する第１の入力ソースの映像信号から得られる主画面に前記子画面発生手段が発生する複数の子画面を合成して出力する合成手段と、
前記複数の入力ポートの内、所定の入力ポートに入力ソースが供給された場合に、その入力ソースを前記第１の入力ソースに設定するよう前記選択手段に指示する指示手段と
を具備することを特徴とする画面合成装置。
【請求項３】
複数の入力ポートにそれぞれ供給され、少なくとも映像信号を含む入力ソースの内から第１の入力ソースとその他の第２の入力ソース群とを選択して出力する選択手段と、
前記選択手段が出力する第２の入力ソース群の各映像信号から複数の子画面を発生する子画面発生手段と、
前記選択手段が出力する第１の入力ソースの映像信号から得られる主画面に前記子画面発生手段が発生する複数の子画面を合成して出力する合成手段と、
前記子画面発生手段が発生する複数の子画面のいずれかを選択する子画面選択手段と、
前記第２の入力ソース群の内、前記子画面選択手段により選択された子画面を形成する入力ソースと前記第１の入力ソースとの入れ替えを前記選択手段に指示する入れ替え指示手段と、
前記複数の入力ポートの内、所定の入力ポートに入力ソースが供給された場合に、その入力ソースを前記第１の入力ソースに設定するよう前記選択手段に指示する設定指示手段と
を具備することを特徴とする画面合成装置。
【請求項４】
前記子画面発生手段は、前記選択手段が出力する第１の入力ソースの映像信号から得られる主画面に文字表示が存在する場合、生成した複数の子画面の表示位置を、主画面中の文字表示に重ならない位置に設定することを特徴とする請求項１〜３のいずれかに記載の画面合成装置。
【請求項５】
少なくとも映像信号を含む複数の入力ソースの内から第１の入力ソースとその他の第２の入力ソース群とを選択して出力する選択処理と、
前記選択処理が出力する第２の入力ソース群の各映像信号から複数の子画面を発生する子画面発生処理と、
前記選択処理が出力する第１の入力ソースの映像信号から得られる主画面に前記子画面発生処理が発生する複数の子画面を合成して出力する合成処理と、
前記子画面発生処理が発生する複数の子画面のいずれかを選択する子画面選択処理と、
前記第２の入力ソース群の内、前記子画面選択処理にて選択された子画面を形成する入力ソースと前記第１の入力ソースとの入れ替えを前記選択処理に指示する指示処理と
をコンピュータで実行させることを特徴とする画面合成処理プログラム。
【請求項６】
複数の入力ポートにそれぞれ供給され、少なくとも映像信号を含む入力ソースの内から第１の入力ソースとその他の第２の入力ソース群とを選択して出力する選択処理と、
前記選択処理が出力する第２の入力ソース群の各映像信号から複数の子画面を発生する子画面発生処理と、
前記選択処理が出力する第１の入力ソースの映像信号から得られる主画面に前記子画面発生処理が発生する複数の子画面を合成して出力する合成処理と、
前記複数の入力ポートの内、所定の入力ポートに入力ソースが供給された場合に、その入力ソースを前記第１の入力ソースに設定するよう前記選択処理に指示する指示処理と
をコンピュータで実行させることを特徴とする画面合成処理プログラム。
【請求項７】
複数の入力ポートにそれぞれ供給され、少なくとも映像信号を含む入力ソースの内から第１の入力ソースとその他の第２の入力ソース群とを選択して出力する選択処理と、
前記選択処理が出力する第２の入力ソース群の各映像信号から複数の子画面を発生する子画面発生処理と、
前記選択処理が出力する第１の入力ソースの映像信号から得られる主画面に前記子画面発生処理が発生する複数の子画面を合成して出力する合成処理と、
前記子画面発生処理が発生する複数の子画面のいずれかを選択する子画面選択処理と、
前記第２の入力ソース群の内、前記子画面選択処理にて選択された子画面を形成する入力ソースと前記第１の入力ソースとの入れ替えを前記選択処理に指示する入れ替え指示処理と、
前記複数の入力ポートの内、所定の入力ポートに入力ソースが供給された場合に、その入力ソースを前記第１の入力ソースに設定するよう前記選択処理に指示する設定指示処理と
をコンピュータで実行させることを特徴とする画面合成処理プログラム。
【請求項８】
前記子画面発生処理は、前記選択処理が出力する第１の入力ソースの映像信号から得られる主画面に文字表示が存在する場合、生成した複数の子画面の表示位置を、主画面中の文字表示に重ならない位置に設定することを特徴とする請求項４〜７のいずれかに記載の画面合成処理プログラム。
【発明の詳細な説明】
【技術分野】
【０００１】
本発明は、例えばテレビジョン受像機等に用いて好適な画面合成装置および画面合成処理プログラムに関する。
【背景技術】
【０００２】
従来より、１つの表示画面に複数の映像を表示させる、所謂マルチ画面表示が知られている。この種の技術として、例えば特許文献１には、各放送チャンネルを受信して得る複数の映像信号について表示位置や拡大／縮小率を設定しておき、設定された表示位置や拡大／縮小率に応じて各映像信号を合成し、ユーザ好みのレイアウトでマルチ画面表示する装置が開示されている。
【０００３】
【特許文献１】特開２０００−２３０３０号公報
【発明の開示】
【発明が解決しようとする課題】
【０００４】
ところで、上記特許文献１に開示の装置は、単にユーザ指定のレイアウトに従って各チャンネルの放送映像をマルチ画面表示するだけなので、マルチ画面表示される画面の数を超える複数の映像・音声入力がある場合に、それらの内から視聴したい映像・音声入力を簡単に選択して画面表示したり、所定の映像信号の発生に応じてその映像信号を自動的に画面表示することができない、という問題がある。
そこで本発明は、このような事情に鑑みてなされたもので、複数の映像・音声入力の内から視聴したい映像・音声入力を簡単に選択して画面表示したり、所定の映像信号の発生に応じてその映像信号を自動的に画面表示することができる画面合成装置および画面合成処理プログラムを提供することを目的としている。
【課題を解決するための手段】
【０００５】
上記目的を達成するため、請求項１に記載の発明では、少なくとも映像信号を含む複数の入力ソースの内から第１の入力ソースとその他の第２の入力ソース群とを選択して出力する選択手段と、前記選択手段が出力する第２の入力ソース群の各映像信号から複数の子画面を発生する子画面発生手段と、前記選択手段が出力する第１の入力ソースの映像信号から得られる主画面に前記子画面発生手段が発生する複数の子画面を合成して出力する合成手段と、前記子画面発生手段が発生する複数の子画面のいずれかを選択する子画面選択手段と、前記第２の入力ソース群の内、前記子画面選択手段により選択された子画面を形成する入力ソースと前記第１の入力ソースとの入れ替えを前記選択手段に指示する指示手段とを具備することを特徴とする。
【０００６】
請求項２に記載の発明では、複数の入力ポートにそれぞれ供給され、少なくとも映像信号を含む入力ソースの内から第１の入力ソースとその他の第２の入力ソース群とを選択して出力する選択手段と、前記選択手段が出力する第２の入力ソース群の各映像信号から複数の子画面を発生する子画面発生手段と、前記選択手段が出力する第１の入力ソースの映像信号から得られる主画面に前記子画面発生手段が発生する複数の子画面を合成して出力する合成手段と、前記複数の入力ポートの内、所定の入力ポートに入力ソースが供給された場合に、その入力ソースを前記第１の入力ソースに設定するよう前記選択手段に指示する指示手段とを具備することを特徴とする。
【０００７】
請求項３に記載の発明では、複数の入力ポートにそれぞれ供給され、少なくとも映像信号を含む入力ソースの内から第１の入力ソースとその他の第２の入力ソース群とを選択して出力する選択手段と、前記選択手段が出力する第２の入力ソース群の各映像信号から複数の子画面を発生する子画面発生手段と、前記選択手段が出力する第１の入力ソースの映像信号から得られる主画面に前記子画面発生手段が発生する複数の子画面を合成して出力する合成手段と、前記子画面発生手段が発生する複数の子画面のいずれかを選択する子画面選択手段と、前記第２の入力ソース群の内、前記子画面選択手段により選択された子画面を形成する入力ソースと前記第１の入力ソースとの入れ替えを前記選択手段に指示する入れ替え指示手段と、前記複数の入力ポートの内、所定の入力ポートに入力ソースが供給された場合に、その入力ソースを前記第１の入力ソースに設定するよう前記選択手段に指示する設定指示手段とを具備することを特徴とする。
【０００８】
上記請求項１〜３のいずれかに従属する請求項４に記載の発明では、前記子画面発生手段は、前記選択手段が出力する第１の入力ソースの映像信号から得られる主画面に文字表示が存在する場合、生成した複数の子画面の表示位置を、主画面中の文字表示に重ならない位置に設定することを特徴とする。
【０００９】
請求項５に記載の発明では、少なくとも映像信号を含む複数の入力ソースの内から第１の入力ソースとその他の第２の入力ソース群とを選択して出力する選択処理と、前記選択処理が出力する第２の入力ソース群の各映像信号から複数の子画面を発生する子画面発生処理と、前記選択処理が出力する第１の入力ソースの映像信号から得られる主画面に前記子画面発生処理が発生する複数の子画面を合成して出力する合成処理と、前記子画面発生処理が発生する複数の子画面のいずれかを選択する子画面選択処理と、前記第２の入力ソース群の内、前記子画面選択処理にて選択された子画面を形成する入力ソースと前記第１の入力ソースとの入れ替えを前記選択処理に指示する指示処理とをコンピュータで実行させることを特徴とする。
【００１０】
請求項６に記載の発明では、複数の入力ポートにそれぞれ供給され、少なくとも映像信号を含む入力ソースの内から第１の入力ソースとその他の第２の入力ソース群とを選択して出力する選択処理と、前記選択処理が出力する第２の入力ソース群の各映像信号から複数の子画面を発生する子画面発生処理と、前記選択処理が出力する第１の入力ソースの映像信号から得られる主画面に前記子画面発生処理が発生する複数の子画面を合成して出力する合成処理と、前記複数の入力ポートの内、所定の入力ポートに入力ソースが供給された場合に、その入力ソースを前記第１の入力ソースに設定するよう前記選択処理に指示する指示処理とをコンピュータで実行させることを特徴とする。
【００１１】
請求項７に記載の発明では、複数の入力ポートにそれぞれ供給され、少なくとも映像信号を含む入力ソースの内から第１の入力ソースとその他の第２の入力ソース群とを選択して出力する選択処理と、前記選択処理が出力する第２の入力ソース群の各映像信号から複数の子画面を発生する子画面発生処理と、前記選択処理が出力する第１の入力ソースの映像信号から得られる主画面に前記子画面発生処理が発生する複数の子画面を合成して出力する合成処理と、前記子画面発生処理が発生する複数の子画面のいずれかを選択する子画面選択処理と、前記第２の入力ソース群の内、前記子画面選択処理にて選択された子画面を形成する入力ソースと前記第１の入力ソースとの入れ替えを前記選択処理に指示する入れ替え指示処理と、前記複数の入力ポートの内、所定の入力ポートに入力ソースが供給された場合に、その入力ソースを前記第１の入力ソースに設定するよう前記選択処理に指示する設定指示処理とをコンピュータで実行させることを特徴とする。
【００１２】
上記請求項５〜７のいずれかに従属する請求項８に記載の発明では、前記子画面発生処理は、前記選択処理が出力する第１の入力ソースの映像信号から得られる主画面に文字表示が存在する場合、生成した複数の子画面の表示位置を、主画面中の文字表示に重ならない位置に設定することを特徴とする。
【発明の効果】
【００１３】
請求項１、５に記載の発明によれば、少なくとも映像信号を含む複数の入力ソースの内から第１の入力ソースとその他の第２の入力ソース群とを選択し、第１の入力ソースの映像信号から得られる主画面と、第２の入力ソース群の各映像信号から生成される複数の子画面とを合成して出力する。そして、主画面と合成される複数の子画面のいずれかを選択すると、その選択された子画面を形成する第２の入力ソース群中の入力ソースと第１の入力ソースとの入れ替えを指示するので、複数の映像・音声入力の内から視聴したい映像・音声入力を簡単に選択して画面表示させることができる。
【００１４】
請求項２、６に記載の発明によれば、複数の入力ポートにそれぞれ供給され、少なくとも映像信号を含む入力ソースの内から第１の入力ソースとその他の第２の入力ソース群とを選択し、第１の入力ソースの映像信号から得られる主画面と、第２の入力ソース群の各映像信号から生成される複数の子画面とを合成して出力する。そして、複数の入力ポートの内、所定の入力ポートに入力ソースが供給された場合に、その入力ソースを第１の入力ソースに設定するので、所定の映像信号の発生に応じてその映像信号を自動的に画面表示することができる。
【００１５】
請求項３、７に記載の発明によれば、複数の入力ポートにそれぞれ供給され、少なくとも映像信号を含む入力ソースの内から第１の入力ソースとその他の第２の入力ソース群とを選択し、第１の入力ソースの映像信号から得られる主画面と、第２の入力ソース群の各映像信号から生成される複数の子画面とを合成して出力する。そして、主画面と合成される複数の子画面のいずれかを選択すると、その選択された子画面を形成する第２の入力ソース群中の入力ソースと第１の入力ソースとの入れ替えを指示するので、複数の映像・音声入力の内から視聴したい映像・音声入力を簡単に選択して画面表示させることができる。また、複数の入力ポートの内、所定の入力ポートに入力ソースが供給された場合に、その入力ソースを第１の入力ソースに設定するので、所定の映像信号の発生に応じてその映像信号を自動的に画面表示することができる。
【００１６】
請求項４、８に記載の発明によれば、第１の入力ソースの映像信号から得られる主画面に文字表示が存在する場合、生成した複数の子画面の表示位置を、主画面中の文字表示に重ならない位置に設定するので、主画面の視聴の邪魔にならない位置に複数の子画面を表示させることができる。
【発明を実施するための最良の形態】
【００１７】
以下、図面を参照して本発明の実施の形態について説明する。
Ａ．概要
図１は実施の一形態による画面合成装置１０の概要を説明するためのブロック図である。この図に示す画面合成装置１０は複数の入力ポートを備える。図１に図示する一例のように、チューナ１００−１〜１００−４、インターフォン１０１および異常監視部１０２からそれぞれ入力ソース（映像・音声信号）が入力ポートに供給されると、画面合成装置１０は、これら入力ソースの内、ユーザ指定の入力ソースの映像信号を表示部１０３に主画面として表示させ、対応する音声信号をスピーカ１０４に供給して音声再生させる。他の入力ソースは、表示部１０３に子画面として表示させる。
【００１８】
ここで、図２を参照して主画面Ｍと子画面Ｓとの関係について説明する。主画面Ｍとは、表示部１０３の表示画面全域に表示される画面である。子画面Ｓは、主画面Ｍとして表示される入力ソース以外の他の入力ソースの映像信号に基づき主画面Ｍ上に縮小表示される画面である。子画面Ｓは、図２に図示するように、主画面Ｍ上に一列に配列した形で表示され、後述するスクロールスイッチや移動スイッチの操作に応じて、主画面Ｍ内で上下方向に移動したり、左右方向にスクロールされる。
【００１９】
従って、ユーザ指定の入力ソースを主画面Ｍに表示している状態で、その主画面Ｍの視聴の邪魔にならない位置に子画面Ｓを上方向又は下方向に移動させたり、左右方向にスクロール表示させることで主画面Ｍの視聴を邪魔することなく他の入力ソースの映像内容を容易に確認し得るようになっている。
また、主画面Ｍ上に表示される複数の子画面Ｓの内、いずれか１つがユーザ操作で選択されるようになっており、選択された子画面Ｓは主画面Ｍに入れ替わる。つまり、選択した子画面Ｓを主画面Ｍとして表示し、それまでの主画面Ｍを子画面Ｓとして表示させるよう入れ替える。これにより、複数の映像・音声入力の内から視聴したい映像・音声入力を簡単に選択して画面表示することが可能になっている。
【００２０】
図１に図示するインターフォン１０１は、カメラ部１０１ａ、マイク１０１ｂおよび呼出しスイッチ１０１ｃから構成され、呼出しスイッチ１０１ｃの操作に対応したスイッチイベントを発生して画面合成装置１０に供給した後、カメラ部１０１ａが発生する映像信号とマイク１０１ｂ が発生する音声信号とを入力ソースとして画面合成装置１０に供給する。異常監視部１０２は、撮像カメラ、ＣＰＵおよび画像メモリから構成される。異常監視部１０２では、異常検知するまで撮像カメラが一定周期毎に撮像して画像メモリに保存し、画像メモリに保存した、先の撮像画像と次の撮像画像との差分変化の有無で異常の有無を判断する。例えば、侵入者を撮像した場合、先の撮像画像と次に撮像画像との差分が変化し、これにより異常監視部１０２は異常検知と判定して撮像カメラが撮像する映像信号を画面合成装置１０に供給する。画面合成装置１０は、インターフォン１０１もしくは異常監視部１０２から映像信号が供給された場合、その映像信号を即座に主画面Ｍとして表示する。この結果、所定の映像信号の発生に応じてその映像信号を自動的に画面表示することが可能になっている。
【００２１】
Ｂ．画面合成装置１０の構成
図３は画面合成装置１０の構成を示すブロック図である。この図に示す画面合成装置１０は、ＣＰＵ１、ＲＯＭ２、ＲＡＭ３、スイッチ部４、外部入力ポート５、選択回路６、結合縮小回路７および合成回路８から構成される。ＣＰＵ１は装置各部を制御するものであり、本発明の要旨に係わる処理動作については追って詳述する。ＲＯＭ２は、ＣＰＵ１が実行する各種プログラムや、オンスクリーン制御用の入力設定画面データを記憶する。各種プログラムとは、後述するメインルーチン、スイッチ処理およびポート検出処理を含む。ＲＡＭ３は、ＣＰＵ１のワークエリアとして使用され、各種レジスタ・フラグデータを一時記憶する他、一時バッファを備え、各種データを退避格納する。スイッチ部４は、合成スイッチ、メイン表示切替スイッチ、スクロールスイッチ、移動スイッチ、入力決定スイッチ、入力種別入力スイッチおよび終了スイッチ等を備え、これらスイッチの操作に対応したスイッチイベントをＣＰＵ１に供給する。これら各スイッチが意図するところについては追って述べる。
【００２２】
外部入力ポート５は、ＣＰＵ１の制御の下に、前述したインターフォン１０１からの入力ソース（映像・音声信号又は呼出スイッチイベント）や、異常監視部１０２からの入力ソース（映像・音声信号）を取り込み、取り込んだ入力ソースを選択回路６に送出する。選択回路６は複数の入出力ポートを備え、ＣＰＵ１の制御の下に入出力する信号経路を選択するロジック回路から構成される。選択回路６の動作については追って述べるが、概略的には、ユーザ指定の入力ソースの映像信号を出力Ｓ１、対応する音声信号を出力Ｓ０からそれぞれ出力させ、その他の入力ソースの映像信号を出力Ｓ２〜Ｓｎからそれぞれ出力させるよう信号選択する。
【００２３】
前述したように、出力Ｓ１から出力される映像信号は、表示部１０３に主画面Ｍ（図２参照）として表示される。一方、出力Ｓ２〜Ｓｎからそれぞれ出力される映像信号は、後述の結合縮小回路７および合成回路８を経て主画面Ｍ上の子画面Ｓとして表示される。なお、本実施の形態では、選択回路６をハードウェアとして表現しているが、これに限定されず、ＣＰＵ１が実行するソフトウェア機能で選択回路６の処理を具現する態様であっても構わない。
【００２４】
結合縮小回路７は、入力Ｉ１〜Ｉｎ−１に供給される映像信号、すなわち選択回路６の出力Ｓ２〜Ｓｎから各々出力されるその他の入力ソースの映像信号から得られる各画像を縮小結合して主画面Ｍ上に表示する子画面Ｓを発生する。なお、本実施の形態では、結合縮小回路７をハードウェアとして表現しているが、これに限定されず、ＣＰＵ１が実行するソフトウェア機能で結合縮小回路７の処理を具現する態様であっても構わない。
【００２５】
合成回路８は、入力Ａに供給される映像信号、すなわち選択回路６の出力Ｓ１から出力されるユーザ指定の入力ソースの映像信号（主画面Ｍ）に、入力Ｂに供給される結合縮小回路７の出力（子画面Ｓ）を合成して表示部１０３に出力する。なお、本実施の形態では、合成回路８をハードウェアとして表現しているが、これに限定されず、ＣＰＵ１が実行するソフトウェア機能で合成回路８の処理を具現する態様であっても構わない。
【００２６】
Ｃ．動作
次に、図４〜図１５を参照して、上記構成による画面合成装置１０の動作を説明する。以下では、ＣＰＵ１、選択回路６、結合縮小回路７および合成回路８の各動作に分けて説明を進める。
【００２７】
（１）ＣＰＵ１の動作
＜メインルーチンの動作＞
装置電源投入に応じて、ＣＰＵ１は図４に示すメインルーチンを実行してステップＳＡ１に処理を進め、装置各部を初期化するイニシャライズを行う。次いで、ステップＳＡ２では、レジスタＳＥＬに「１」をストアすると共に、フラグＭＦおよびレジスタＤをゼロリセットし、さらにレジスタＮに「１」をセットする。
ここで、レジスタＳＥＬはメインソース番号を一時記憶する。メインソース番号とは、主画面Ｍとして表示する映像信号の入力ポートを指定する番号である。フラグＭＦは主画面Ｍと子画面Ｓとを合成するか否かを表すフラグであり、「１」の場合に合成を表し、「０」の場合に非合成を表す。レジスタＤは、後述する移動スイッチの操作に応じて子画面Ｓを上方向又は下方向へ移動させる移動量をカウントするレジスタである。レジスタＮは、後述するスクロールスイッチの操作に応じて子画面Ｓを左方向又は右方向へスクロールさせるスクロール値をカウントするレジスタである。
【００２８】
続いて、ステップＳＡ３では、選択回路６、結合縮小回路７および合成回路８に対して出力指示する。次に、ステップＳＡ４では、入力設定スイッチ、入力種別入力スイッチおよび終了スイッチの操作に応じて各入力ポートに供給される入力ソースの種別を設定する他、合成スイッチ、メイン表示切替スイッチ、スクロールスイッチおよび移動スイッチの操作に従い、選択回路６、結合縮小回路７および合成回路８の各動作を指示するスイッチ処理を実行する。次いで、ステップＳＡ５では、外部入力ポート５に入力される信号内容に応じて、選択回路６および合成回路８の各動作を指示するポート検出処理を実行する。そして以後、装置電源がオフされるまで上記ステップＳＡ４〜ＳＡ５を繰り返す。
【００２９】
＜スイッチ処理の動作＞
次に、図５〜図９を参照してスイッチ処理の動作を説明する。上述したメインルーチンのステップＳＡ４（図４参照）を介してスイッチ処理が実行されると、ＣＰＵ１は図５に図示するステップＳＢ１に進む。
ステップＳＢ１からステップＳＢ２１（図６参照）では、合成スイッチ、メイン表示切替スイッチ、スクロールスイッチおよび移動スイッチの各操作に基づき選択回路６、結合縮小回路７および合成回路８に動作指示する動作指示処理が行われる。
一方、図６に図示するステップＳＢ２２から図８に図示するステップＳＢ５３では、入力設定スイッチをオン操作した後の移動スイッチ、入力種別入力スイッチおよび終了スイッチの各操作に基づき各入力ポートに供給される入力ソースの種別を設定したり、設定終了させる設定処理が行われる。以下、設定処理と動作指示処理とに分けて動作説明を進める。
【００３０】
ａ．設定処理の動作
各入力ポートに供給される入力ソースの種別を設定すべく入力決定スイッチがオン操作されたとする。そうすると、図６に図示するステップＳＢ２２の判断結果が「ＹＥＳ」となり、ステップＳＢ２３に進み、フラグＡＦを「１」にセットする。このフラグＡＦは、移動スイッチの機能を指定するフラグであり、「１」の場合に設定処理下で機能する旨を表し、「０」の場合に後述の動作指示処理下で機能する旨を表す。
次に、ステップＳＢ２４〜ＳＢ２６では、フラグＭＦの内容をＲＡＭ３の一時バッファに退避させてから当該フラグＭＦをゼロリセットし、ゼロリセットしたフラグＭＦを合成回路８に送出する。これにより、合成回路８（図３参照）は、後述するように、主画面Ｍと子画面Ｓとを合成せず、入力Ａに供給される入力ソースの映像信号のみを主画面Ｍとして表示部１０３に出力する。
【００３１】
続いて、ステップＳＢ２７〜ＳＢ２９では、レジスタＳＥＬに格納されるメインソース番号をＲＡＭ３の一時バッファに退避させてから当該レジスタＳＥＬに入力画面設定番号をストアし、ストアした入力画面設定番号を選択回路６に送出する。入力画面設定番号とは、選択回路６が有する入力設定画面表示用の入力ポートを指定する番号である。そして、ステップＳＢ３０では、ＲＯＭ２に格納されるオンスクリーン制御用の入力設定画面データに基づき入力設定画面（後述する）を表示させる映像信号を発生し、入力画面設定番号で指定される選択回路６の入力ポートに供給する。これにより、選択回路６は、ＣＰＵ１から供給される映像信号を出力Ｓ１から出力させて合成回路６の入力Ａに入力させる。この結果、入力設定画面が主画面Ｍとして表示部１０３に表示される。
【００３２】
ここで、図９に図示する一例を参照して入力設定画面ＩＧの構成について説明する。入力設定画面ＩＧは、各入力ポートに供給される入力ソースの種別を設定するための画面であり、各入力ポート１〜Ｎにそれぞれ対応する入力エリアＩＥ１〜ＩＥｎを備える。これら入力エリアＩＥ１〜ＩＥｎは、設定処理下で機能する移動スイッチの操作に応じてフォーカス（選択）される。移動スイッチの操作に応じてフォーカスされる入力エリアＩＥには、入力種別入力スイッチの操作に応じて指定される入力種別が入力される。
【００３３】
さて、こうした入力設定画面ＩＧが表示部１０３に表示されると、ＣＰＵ１はステップＳＢ３１〜ＳＢ３２を実行し、ポインタＰＮに初期値「１」をストアし、そのポインタＰＮが指定する入力エリアＩＥ、つまり図９に図示する一例の場合、入力ポート１に対応する入力エリアＩＥ１をフォーカスする。なお、ここで言うフォーカスとは、例えば入力エリアＩＥ１の形成する表示枠の表示色を、他の入力エリアの表示枠の表示色と異ならせて選択状態にあることを表す処理操作を指す。
【００３４】
次いで、図７に図示するステップＳＢ３３に処理を進め、フラグＡＦが「１」であるか否かを判断する。設定処理下では、入力設定スイッチのオン操作に応じてフラグＡＦが「１」にセットされるので、判断結果は「ＹＥＳ」になり、ステップＳＢ３４に進む。ステップＳＢ３４では、移動スイッチのオン操作の有無を判断する。入力設定画面ＩＧにおいてフォーカス位置を所望の入力エリアに移動させる為、移動スイッチをオン操作したとする。そうすると、ここでの判断結果が「ＹＥＳ」になり、ステップＳＢ３５に進む。ステップＳＢ３５では、移動スイッチの操作で指定される移動方向が「上」又は「下」のいずれであるかを判断する。
【００３５】
移動方向が「下」の時には、ステップＳＢ３６に進み、フォーカス位置を表すポインタＰＮが最大値ｍａｘに達していないかどうかを判断する。最大値ｍａｘに達していると、判断結果が「ＮＯ」となり、一旦本処理を完了させるが、最大値ｍａｘに達していなければ、上記ステップＳＢ３６の判断結果は「ＹＥＳ」になり、ステップＳＢ３７に進み、ポインタＰＮをインクリメントして歩進させ、続くステップＳＢ３８では、歩進されたポインタＰＮが指定する入力エリアをフォーカスした後、一旦本処理を完了させる。
【００３６】
これに対し、移動方向が「上」の時には、ステップＳＢ３９に進み、フォーカス位置を表すポインタＰＮが初期値「１」でないか否かを判断する。初期値「１」であると、判断結果は「ＮＯ」となり、一旦本処理を完了させるが、初期値「１」でなければ、上記ステップＳＢ３９の判断結果は「ＹＥＳ」になり、ステップＳＢ４０に進み、ポインタＰＮをデクリメントする。そして、ステップＳＢ３８に進み、デクリメントされたポインタＰＮが指定する入力エリアをフォーカスした後、一旦本処理を完了させる。
【００３７】
こうして、入力設定画面ＩＧにおいて、入力設定する入力ポートの入力エリアをフォーカスさせた状態で入力種別入力スイッチをオン操作すると、ステップＳＢ４１の判断結果が「ＹＥＳ」になり、ステップＳＢ４２に進む。ステップＳＢ４２では、入力種別入力スイッチのオン操作で入力される種別が「チューナ」、「カメラ」および「インターフォン」のいずれであるかを判別する。入力される種別が「チューナ」であると、ステップＳＢ４３に進み、フォーカスされた入力エリアに「チューナ」と表示する。入力される種別が「カメラ」であると、ステップＳＢ４４に進み、フォーカスされた入力エリアに「カメラ」と表示する。入力される種別が「インターフォン」であると、ステップＳＢ４５に進み、フォーカスされた入力エリアに「インターフォン」と表示する。そして、ステップＳＢ４６では、フォーカスされた入力エリアを表すポインタＰＮと入力された種別とを対応させてＲＡＭ３にストアした後、一旦本処理を完了させる。以後、上述したステップＳＢ３３〜ステップＳＢ４６を繰り返し実行することによって、各入力ポートに供給される入力ソースの入力種別が設定される。
【００３８】
各入力ポートに供給される入力ソースの入力種別を設定し終えた時点で、フラグＡＦ、ＤＦおよびＣＦのいずれかが「１」、つまり設定処理実行中か、あるいはインターフォン１０１や異常監視部１０２からの出力が外部入力ポート５に入力されると、図８に図示するステップＳＢ４７の判断結果が「ＹＥＳ」となり、ステップＳＢ４８に進む。ステップＳＢ４８では、設定処理の終了を指示する終了スイッチがオン操作されたかどうかを判断する。終了スイッチがオン操作されると、判断結果は「ＹＥＳ」になり、ステップＳＢ４９に進み、フラグＡＦ、ＤＦおよびＣＦをゼロリセットする。なお、フラグＤＦとは、後述するように、インターフォン１０１の呼出スイッチ１０１ｃが操作され、そのスイッチイベントが外部入力ポート５に入力された時に「１」となるフラグである。また、フラグＣＦとは、インターフォン１０１あるいは異常監視部１０２からの映像出力が外部入力ポート５に入力された時に「１」となるフラグである。
【００３９】
次いで、ステップＳＢ５０〜ＳＢ５１では、前述のステップＳＢ２４（図６参照）においてＲＡＭ３の一時バッファに退避させておいたフラグ値を、フラグＭＦにセットし直した後、そのフラグＭＦを合成回路８に送出する。続いて、ステップＳＢ５２〜ＳＢ５３では、前述のステップＳＢ２７（図６参照）においてＲＡＭ３の一時バッファに退避させておいたメインソース番号を、レジスタＳＥＬにストアし直した後、そのレジスタＳＥＬの内容を選択回路６に送出する。これにより、入力決定スイッチがオン操作される以前の表示状態に復帰させて設定処理を完了する。
【００４０】
ｂ．動作指示処理の動作
前述したように、図５に図示するステップＳＢ１から図６に図示するステップＳＢ２１では、合成スイッチ、メイン表示切替スイッチ、スクロールスイッチおよび移動スイッチの各操作に基づき選択回路６、結合縮小回路７および合成回路８に動作指示する動作指示処理が行われる。以下では、各スイッチのオン操作に対応した処理動作を述べる。
【００４１】
ｂ−１．合成スイッチがオン操作された場合
合成スイッチがオン操作されると、図５に示すステップＳＢ１の判断結果が「ＹＥＳ」になり、ステップＳＢ２に進み、フラグＭＦを反転し、続くステップＳＢ３では、反転したフラグＭＦを合成回路８に送出する。
これにより、合成回路８では、主画面Ｍに子画面Ｓを合成して表示している時に合成スイッチがオン操作されると、主画面Ｍのみを表示し、一方、主画面Ｍのみを表示している時に合成スイッチがオン操作されると、主画面Ｍに子画面Ｓを合成して表示するようになっており、こうした合成回路８の動作については追って述べる。
【００４２】
ｂ−２．メイン表示切替スイッチがオン操作された場合
メイン表示切替スイッチがオン操作されると、ステップＳＢ４の判断結果が「ＹＥＳ」になり、ステップＳＢ５に進む。ステップＳＢ５では、メイン表示切替スイッチ操作で指定される入力ポートを表すメインソース番号を、レジスタＳＥＬにストアする。そして、ステップＳＢ６では、レジスタＳＥＬにストアされたメインソース番号を選択回路６に送出する。
これにより、選択回路６では、後述するように、メインソース番号で指定される入力ポートに供給される入力ソースの映像信号を出力Ｓ１から合成回路８に出力する。
【００４３】
ｂ−３．スクロールスイッチがオン操作された場合
主画面Ｍ上で子画面Ｓを左方向又は右方向にスクロールさせるスクロールスイッチがオン操作されると、ステップＳＢ７の判断結果が「ＹＥＳ」になり、ステップＳＢ８に進み、スクロール方向が「左」又は「右」のいずれであるかを判断する。
スクロール方向が「右」の時には、ステップＳＢ９に進み、スクロール位置を表すレジスタＮの値が右端値「１」でないか否か、つまり右端に達していないかどうかを判断する。右端に達していると、判断結果が「ＮＯ」となり、一旦本処理を完了させるが、右端に達していなければ、上記ステップＳＢ９の判断結果は「ＹＥＳ」になり、ステップＳＢ１０に進み、レジスタＮの値をデクリメントする。そして、ステップＳＢ１３に進み、デクリメントされたレジスタＮの値を縮小結合回路７に送出する。
これにより、縮小結合回路７は、後述するように、主画面Ｍ上に表示される子画面Ｓを右方向へ子画面１つ分移動させる。したがって、例えば主画面Ｍ上に４つの子画面Ｓ２〜Ｓ５が表示されている時に右方向にスクロールさせると、主画面Ｍには子画面Ｓ１〜Ｓ４が表示されることになる。
【００４４】
これに対し、スクロール方向が「左」の時には、ステップＳＢ１１に進み、スクロール位置を表すレジスタＮの値が左端値「ｎ−３」（ｎは入力ソース数）でないか否か、つまり左端に達していないかどうかを判断する。左端に達していると、判断結果が「ＮＯ」となり、一旦本処理を完了させるが、左端に達していなければ、上記ステップＳＢ１１の判断結果は「ＹＥＳ」になり、ステップＳＢ１２に進み、レジスタＮの値をインクリメントして歩進させる。そして、ステップＳＢ１３に進み、歩進されたレジスタＮの値を縮小結合回路７に送出する。
これにより、縮小結合回路７は、後述するように、主画面Ｍ上に表示される子画面Ｓを左方向に子画面１つ分移動させる。したがって、例えば主画面Ｍ上に４つの子画面Ｓ２〜Ｓ５が表示されている時に左方向にスクロールさせると、主画面Ｍには子画面Ｓ３〜Ｓ６が表示されることになる。
【００４５】
ｂ−４．移動スイッチがオン操作された場合
入力設定スイッチがオン操作されていない状態で移動スイッチをオン操作すると、図６に図示するステップＳＢ１４およびステップＳＢ１５の各判断結果がいずれも「ＹＥＳ」となり、ステップＳＢ１６に進む。ステップＳＢ１６では、移動スイッチ操作で指示される移動方向が「上」又は「下」のいずれであるかを判断する。
移動方向が「上」の時には、ステップＳＢ１７に進み、主画面Ｍ上における子画面ＳのＹ座標位置（縦方向位置）を表すレジスタＤの値が最大値ｍａｘでないか否か、つまり上端に達していないかどうかを判断する。上端に達していると、判断結果が「ＮＯ」となり、一旦本処理を完了させるが、上端に達していなければ、上記ステップＳＢ１７の判断結果は「ＹＥＳ」になり、ステップＳＢ１８に進み、レジスタＤに移動量αを加算して子画面ＳのＹ座標位置を更新する。ここで、移動量αとは、子画面１つ分を縦方向に移動させる変位を表す。そして、ステップＳＢ２１に進み、レジスタＤに格納される子画面ＳのＹ座標位置を縮小結合回路７に送出する。これにより、縮小結合回路７は、後述するように、主画面Ｍ上に表示される子画面Ｓを上方向へ子画面１つ分移動させる。
【００４６】
これに対し、移動方向が「下」の時には、ステップＳＢ１９に進み、主画面Ｍ上における子画面ＳのＹ座標位置（縦方向位置）を表すレジスタＤの値が最小値「０」でないか否か、つまり下端に達していないかどうかを判断する。下端に達していると、判断結果が「ＮＯ」となり、一旦本処理を完了させるが、下端に達していなければ、上記ステップＳＢ１９の判断結果は「ＹＥＳ」になり、ステップＳＢ２０に進み、レジスタＤから移動量αを減算して子画面ＳのＹ座標位置を更新する。そして、ステップＳＢ２１に進み、レジスタＤに格納される子画面ＳのＹ座標位置を縮小結合回路７に送出する。これにより、縮小結合回路７は、後述するように、主画面Ｍ上に表示される子画面Ｓを下方向へ子画面１つ分移動させる。
【００４７】
＜ポート検出処理の動作＞
次に、図１０〜図１１を参照してポート検出処理の動作を説明する。前述したメインルーチンのステップＳＡ５（図４参照）を介してポート検出処理が実行されると、ＣＰＵ１は図１０に図示するステップＳＣ１に進み、外部入力ポート５の入力の有無を判断する。入力が無ければ、判断結果は「ＮＯ」となり、本処理を完了させるが、入力が有ると、判断結果が「ＹＥＳ」になり、ステップＳＣ２に処理を進める。ステップＳＣ２では、入力が有った入力ポート番号をポインタＰＮにストアする。次いで、ステップＳＣ３では、前述のステップＳＢ４６（図７参照）においてＲＡＭ３に格納されたポインタＰＮと入力種別との対応関係を参照し、入力が有った入力ポート番号（ポインタＰＮ）に対応した入力種別を読み出す。続いて、ステップＳＣ４では、読み出した入力種別が「カメラ」であるか否かを判断する。以下、入力が有った入力ポートの入力種別が「カメラ」の場合と、そうでない場合とに分けて説明を進める。
【００４８】
ａ．入力種別が「カメラ」の場合
この場合、ステップＳＣ４の判断結果が「ＹＥＳ」になり、ステップＳＣ５に進み、フラグＭＦおよびレジスタＳＥＬの内容をＲＡＭ３の一時バッファに退避格納する。次に、ステップＳＣ６では、フラグＣＦに「１」をセットし、続くステップＳＣ７〜ＳＣ８では、フラグＭＦをゼロリセットし、そのフラグＭＦを合成回路８に送出する。次いで、ステップＳＣ９〜ＳＣ１０では、入力が有った入力ポート番号（ポインタＰＮ）をレジスタＳＥＬにストアし、そのレジスタＳＥＬの内容を選択回路６に送出する。
【００４９】
これにより、選択回路６はポインタＰＮで指定される入力ポート番号の入力ソース、つまりインターフォン１０１あるいは異常監視部１０２が出力する映像信号を出力Ｓ１から合成部８の入力Ａに供給し、合成部８は入力Ａに供給された映像信号のみを主画面Ｍとして表示部１０３に表示する。
このように、インターフォン１０１あるいは異常監視部１０２からの映像信号が外部入力ポート５に供給されると、ＣＰＵ１はその映像信号を即座に主画面Ｍとして表示させるように、選択回路６および合成回路８に動作指示を与えるようになっている。
【００５０】
ｂ．入力種別が「カメラ」以外の場合
一方、入力種別が「カメラ」以外の場合、すなわちインターフォン１０１の呼出スイッチ１０１ｃが操作され、そのスイッチイベントが外部入力ポート５に入力されると、上記ステップＳＣ４の判断結果は「ＮＯ」となり、図１１に図示するステップＳＣ１１に処理を進める。ステップＳＣ１１では、フラグＤＦを「１」にセットする。次いで、ステップＳＣ１２では、フラグＭＦが「０」でなく、しかもポインタＰＮで指定される入力ポート番号がレジスタＳＥＬにストアされていない状態、つまりインターフォン１０１あるいは異常監視部１０２からの映像信号が既に外部入力ポート５に入力されている状態か否かを判断する。
【００５１】
インターフォン１０１あるいは異常監視部１０２からの映像信号が既に外部入力ポート５に入力されている状態であれば、判断結果は「ＮＯ」となり、何も行わずに本処理を完了させるが、そうでなければ、判断結果が「ＹＥＳ」になり、ステップＳＣ１３に進む。ステップＳＣ１３では、フラグＭＦおよびレジスタＳＥＬの内容をＲＡＭ３の一時バッファに退避格納し、続くステップＳＣ１４〜ＳＣ１５では、フラグＭＦに「１」をセットし、そのフラグＭＦを合成回路８に送出する。次いで、ステップＳＣ１６〜ＳＣ１７では、入力が有った入力ポート番号（ポインタＰＮ）をレジスタＳＥＬにストアし、そのレジスタＳＥＬの内容とフラグＤＦとを選択回路６に送出する。
【００５２】
これにより、選択回路６はポインタＰＮで指定される入力ポート番号の入力ソース、つまりインターフォン１０１のマイク１０１ｂが出力する音声信号を出力Ｓ０からスピーカ１０４に供給し、合成部８は入力Ａに供給された映像信号のみを主画面Ｍとして表示部１０３に表示する。
このように、インターフォン１０１の呼出スイッチ１０１ｃが操作され、そのスイッチイベントが外部入力ポート５に供給されると、ＣＰＵ１はインターフォン１０１のマイク１０１ｂが出力する音声信号を出力Ｓ０からスピーカ１０４に供給するように、選択回路６および合成回路８に動作指示を与える。また、呼出スイッチ１０１ｃの操作に応じて、インターフォン１０１のカメラ部１０１ａからの映像信号が外部入力ポート５に供給されると、上述したステップＳＣ４〜ＳＣ１０の動作に基づき、カメラ部１０１ａからの映像信号が主画面Ｍとして表示される。
【００５３】
（２）選択回路６の動作
次に、図１２を参照して選択回路６の動作を説明する。装置電源投入に応じて、選択回路６は図１２に示す選択処理を実行してステップＳＤ１に進む。ステップＳＤ１では、ＣＰＵ１からデータ受領するまで待機する。ＣＰＵ１からデータ（レジスタＳＥＬおよびフラグＤＦ）を受領すると、ステップＳＤ１の判断結果が「ＹＥＳ」になり、ステップＳＤ２に進む。ステップＳＤ２では、受領したフラグＤＦが「０」か否かを判断する。受領したフラグＤＦが「０」の場合には、判断結果が「ＹＥＳ」になり、ステップＳＤ３に進む。
【００５４】
ステップＳＤ３では、レジスタＳＥＬで指定された入力ポートからの映像入力を出力Ｓ１、音声入力を出力Ｓ０からそれぞれ出力させる。続いて、ステップＳＤ４では、レジスタＳＥＬで指定された入力ポート以外の他の入力ポートからの映像入力を出力Ｓ２〜Ｓｎからそれぞれ出力させた後、上記ステップＳＤ１に処理を戻す。
一方、受領したフラグＤＦが「１」、つまりインターフォン１０１の呼出スイッチ１０１ｃのスイッチイベントが外部入力ポート５に供給された場合には、上記ステップＳＤ２の判断結果が「ＮＯ」になり、ステップＳＤ５に進む。ステップＳＤ５では、レジスタＳＥＬで指定された入力ポートからの音声入力のみを出力Ｓ０から出力させた後、上記ステップＳＤ１に処理を戻す。
【００５５】
（３）結合縮小回路７の動作
次に、図１３〜図１４を参照して結合縮小回路７の動作を説明する。装置電源投入に応じて、結合縮小回路７は図１３に示す結合縮小処理を実行してステップＳＥ１に進む。ステップＳＥ１では、入力Ｉ１〜Ｉｎ−１（ｎは入力ソースの数）を順番に指定するポインタｍに初期値「１」をセットする。次いで、ステップＳＥ２では、ポインタｍで指定される入力Ｉ［ｍ］に供給される映像信号を縮小し、続くステップＳＥ３では、縮小された映像信号を子画面Ｓとして画像メモリＭ［ｍ］にストアする。続いて、ステップＳＥ４では、ポインタｍをインクリメントして歩進させる。ステップＳＥ５では、歩進されたポインタｍの値がｎ−１を超えたか、つまり入力Ｉ１〜Ｉｎ−１に供給される映像信号を全て子画面Ｓに縮小し終えたかどうかを判断する。縮小し終えていなければ、判断結果は「ＮＯ」になり、上記ステップＳＥ２に処理を戻し、以後、全て縮小し終えるまでステップＳＥ２〜ＳＥ５を繰り返す。
【００５６】
入力Ｉ１〜Ｉｎ−１に供給される映像信号を全て子画面Ｓに縮小し終えると、ステップＳＥ５の判断結果が「ＹＥＳ」になり、ステップＳＥ６に進み、画像メモリＭ［１］〜Ｍ［ｍ］（ｍ＝ｎ−１）にそれぞれ格納された子画面Ｓを結合して結合画像を形成する。次いで、ステップＳＥ７〜ＳＥ８では、主画面Ｍ上に表示する結合画像の表示座標（Ｘ＋（Ｎ×ＸＳ），Ｙ＋Ｄ）を設定する。ここで、ＸおよびＹは主画面Ｍにおける表示座標原点である。ＮはＣＰＵ１から受領するデータであり、スクロールスイッチ操作に応じてレジスタＮにストアされる左右方向の移動量である。ＤはＣＰＵ１から受領するデータであり、移動スイッチ操作に応じてレジスタＤにストアされる上下方向の移動量である。ＸＳは子画面１つ分の移動変位を表す定数である。
【００５７】
次に、ステップＳＥ９では、選択回路６の出力Ｓ１から入力される主画面Ｍに、例えば字幕などの文字表示が有るか否かを判断する。文字表示が無ければ、判断結果は「ＮＯ」となり、ステップＳＥ１２に進み、ＣＰＵ１からデータ（レジスタＤおよびレジスタＮの内容）を受領した後、上述のステップＳＥ１に処理を戻す。
一方、文字表示が有れば、判断結果が「ＹＥＳ」になり、ステップＳＥ１０に進み、主画面Ｍの文字表示位置と結合画像位置とが重なるか否かを判断する。重ならない場合には、判断結果が「ＮＯ」となり、上記ステップＳＥ１２に進むが、重なる場合には、判断結果が「ＹＥＳ」となり、ステップＳＥ１１に進み、結合画像のＹ座標位置を変更する。
【００５８】
具体的には、例えば図１４（ａ）に図示するように、主画面Ｍの下部に文字表示される場合には、主画面Ｍの上部に一連の子画面Ｓからなる結合画像を配置するようＹ座標位置を変更する。また、図１４（ｂ）に図示するように、主画面Ｍの上部および下部に文字表示される場合、それら文字表示と重ならない位置に一連の子画面Ｓからなる結合画像を配置するようＹ座標位置を変更する。なお、主画面Ｍに文字表示されない場合には、図１４（ｃ）に図示するように、一連の子画面Ｓからなる結合画像を主画面Ｍの下部に配置するようＹ座標位置を設定しておく。
【００５９】
（４）合成回路８の動作
次に、図１５を参照して合成回路８の動作を説明する。装置電源投入に応じて、合成回路８は図１５に示す合成処理を実行してステップＳＦ１に進み、ＣＰＵ１からデータ（フラグＭＦの値）を受領する。次いで、ステップＳＦ２では、受領したフラグＭＦの値が「１」であるか否かを判断する。フラグＭＦの値が「１」であると、判断結果は「ＹＥＳ」になり、ステップＳＦ３に進む。ステップＳＦ３では、入力Ａに供給される映像信号（主画面Ｍ）と、入力Ｂに供給され、子画面Ｓを表示する結合画像の映像信号とを合成して表示部１０３に出力する。これにより、主画面Ｍ上に子画面Ｓが表示される。
一方、受領したフラグＭＦの値が「０」であれば、上記ステップＳＦ２の判断結果が「ＮＯ」となり、ステップＳＦ４に進む。ステップＳＦ４では、入力Ａに供給される映像信号のみ表示部１０３に出力する。これにより、表示部１０３には主画面Ｍだけが表示される。
【００６０】
以上説明したように、本実施の形態では、ユーザ指定の入力ソースを主画面Ｍとして表示している状態で、その主画面Ｍの視聴の邪魔にならない位置に子画面Ｓを上下方向に移動させたり、左右方向にスクロール表示させるので、主画面Ｍの視聴を邪魔することなく他の入力ソースの映像内容を容易に確認し得るようになっている。
また、主画面Ｍ上に表示される複数の子画面Ｓの内、いずれか１つがユーザ操作で選択されると、選択された子画面Ｓが主画面Ｍに切替わり、それまでの主画面Ｍを子画面Ｓとして表示させるため、複数の映像・音声入力の内から視聴したい映像・音声入力を簡単に選択して画面表示することが出来る。
加えて、インターフォン１０１もしくは異常監視部１０２から映像信号が供給されると、その映像信号を即座に主画面Ｍとして表示するので、所定の映像信号の発生に応じてその映像信号を自動的に画面表示することも可能になる。
【００６１】
なお、本実施形態では、インターフォン１０１もしくは異常監視部１０２から映像信号が外部入力ポート５に入力された場合、その入力された映像信号を主画面Ｍとして表示するようにしたが、これに替えて、インターフォン１０１もしくは異常監視部１０２から供給される映像信号を主画面Ｍ上の子画面Ｓとして表示する態様としても構わない。
また、本実施形態では、主画面Ｍ上に表示される子画面Ｓのサイズを全て同一としたが、これに限らず、例えば主画面Ｍとして表示される入力ソース以外の他の入力ソースに優先順位を付加しておき、その優先順位に応じて子画面Ｓのサイズを異ならせることもできる。
加えて、主画面Ｍ上に表示される複数の子画面Ｓの内、ユーザ操作で選択された子画面Ｓのサイズを他のものと異ならせて、選択された子画面Ｓの内容を見易くすることも可能である。
【図面の簡単な説明】
【００６２】
【図１】実施の一形態による画面合成装置１０の概要を説明するためのブロック図である。
【図２】主画面Ｍと子画面Ｓとの関係を説明するための図である。
【図３】実施の一形態による画面合成装置１０の構成を示すブロック図である。
【図４】ＣＰＵ１が実行するメインルーチンの動作を示すフローチャートである。
【図５】ＣＰＵ１が実行するスイッチ処理の動作を示すフローチャートである。
【図６】ＣＰＵ１が実行するスイッチ処理の動作を示すフローチャートである。
【図７】ＣＰＵ１が実行するスイッチ処理の動作を示すフローチャートである。
【図８】ＣＰＵ１が実行するスイッチ処理の動作を示すフローチャートである。
【図９】入力設定画面ＩＧの一構成例を示す図である。
【図１０】ＣＰＵ１が実行するポート検出処理の動作を示すフローチャートである。
【図１１】ＣＰＵ１が実行するポート検出処理の動作を示すフローチャートである。
【図１２】選択回路６が実行する選択処理の動作を説明するためのフローチャートである。
【図１３】結合縮小回路７が実行する結合縮小処理の動作を説明するためのフローチャートである。
【図１４】結合縮小処理の具体的動作の一例を示す図である。
【図１５】合成回路８が実行する合成処理の動作を説明するためのフローチャートである。
【符号の説明】
【００６３】
１  ＣＰＵ
２  ＲＯＭ
３  ＲＡＭ
４  スイッチ部
５  外部入力ポート
６  選択回路
７  結合縮小回路
８  合成回路
１０  画面合成装置
１００−１〜１００−４  チューナ
１０１  インターフォン
１０２  異常監視部
１０３  表示部
１０４  スピーカ
【図１】
2006010807.tif 000003
【図２】
2006010807.tif 000004
【図３】
2006010807.tif 000005
【図４】
2006010807.tif 000006
【図５】
2006010807.tif 000007
【図６】
2006010807.tif 000008
【図７】
2006010807.tif 000009
【図８】
2006010807.tif 000010
【図９】
2006010807.tif 000011
【図１０】
2006010807.tif 000012
【図１１】
2006010807.tif 000013
【図１２】
2006010807.tif 000014
【図１３】
2006010807.tif 000015
【図１４】
2006010807.tif 000016
【図１５】
2006010807.tif 000017